(57)【特許請求の範囲】
【請求項１】
壁面に張付けモルタルを塗り込む工程と、
前記張付けモルタルを塗り込んだ前記壁面に、前記張付けモルタルが浸透可能な、タイル間を連結するメッシュシートを配設するメッシュシート配設工程と、
前記張付けモルタルがフレッシュな状態で、前記メッシュシートを配設した前記壁面に、タイルを張り付ける張り付け工程と、を備え、
前記メッシュシートの縦及び横の幅が、５０ｃｍ以下であり、
前記張り付け工程では、ユニットタイルを張り付け、
前記メッシュシートが、前記ユニットタイルよりも小さく、かつ、前記ユニットタイルに含まれる全てのタイルを連結可能な大きさを有することを特徴とするタイル施工方法。
【発明の詳細な説明】
【技術分野】
【０００１】
本発明は、壁面へのタイルの施工方法に関するものである。
【背景技術】
【０００２】
壁面へのタイルの施工方法としては様々な方法が提案されている。特許文献１には、ユニットタイルの取り扱いを容易化する等の目的で、ユニットタイルの裏面に補強材を設ける等して強固なパネル体とすることが提案されている。特許文献２には、施工したタイルの剥離による脱落防止を目的として、タイルの裏面にタイル間を連結する不織布を事前に接着することが提案されている。
【０００３】
特許文献３には、施工したタイルの剥離による脱落防止を目的として、裏面にタイル間を連結する部材をあらかじめ配したユニットタイルの張り付け後に固定具でユニットタイルを壁面に機械的に固定するものが提案されている。特許文献４には壁面全体にネットを固定しておき、その上に弾性接着剤を塗着してタイルを接着するものが提案されている。また、タイル張付け用のネットとして、３次元構造編物の繊維材料を用いたものが実用化されている（例えば、株式会社内外テクノスの「インターネット工法」（商標））。
【先行技術文献】
【特許文献】
【０００４】
【特許文献１】特公平５−８１６９９号公報
【特許文献２】特公平８−３０３８３号公報
【特許文献３】特開２０１０−２６５７３３号公報
【特許文献４】特開２００６−２７４７４４号公報
【発明の概要】
【発明が解決しようとする課題】
【０００５】
タイルの剥離による脱落防止を図るためには、タイル間を連結し、その連結材を躯体に機械的に固定することが望ましい。しかし、特許文献１のように事前にパネル状になるまで固めてしまうと、各タイル間の目地幅が調整できなくなると共にパネル状とするための事前準備の手間がかかる。
【０００６】
特許文献２のようにタイル間を連結する不織布を事前にユニットタイルの各タイル裏面に点接着する手法の場合、目地幅の調整はある程度は可能ではあるが不織布の伸縮性の範囲であり、調整しづらい。更に、不織布を事前に接着しておく必要がるため、準備に手間がかかる。特許文献４のように壁面全体にネットを固定しておく手法の場合、壁面の周囲に足場とその控えがあることから、壁面の前面にネットを張るのにはかなり手間がかかる。また、何らかの原因でタイルの張り付け作業を中断して張付けを再開した場合、新たに張り付けたタイルの目地調整等でタイルを動かした時に、隣接して既に張り付けられてモルタルがある程度硬化した状態となっているタイルをメッシュを介してわずかに動かし、後にタイル剥離の原因となる脆弱部を作る恐れがある。明らかに隣のタイルに影響が出る場合には、メッシュを切断するなどの対策を施しているが、見過ごす可能性が残る。
【０００７】
本発明の目的は、タイル張付けモルタル層内にメッシュシートを配し、そのメッシュシートを躯体に機械的に固定し、タイルが剥離してもタイルが脱落しないようにするにあたり、メッシュシートの施工性がよく、目地幅の調整が容易であり、しかも、タイル張り付け作業の中断にも容易に対応可能なタイル施工方法を提供することにある。
【課題を解決するための手段】
【０００８】
本発明によれば、壁面に張付けモルタルを塗り込む工程と、前記張付けモルタルを塗り込んだ前記壁面に、前記張付けモルタルが浸透可能な、タイル間を連結するメッシュシートを配設するメッシュシート配設工程と、前記張付けモルタルがフレッシュな状態で、前記メッシュシートを配設した前記壁面に、タイルを張り付ける張り付け工程と、を備え、前記メッシュシートの縦及び横の幅が、５０ｃｍ以下であり、前記張り付け工程では、ユニットタイルを張り付け、前記メッシュシートが、前記ユニットタイルよりも小さく、かつ、前記ユニットタイルに含まれる全てのタイルを連結可能な大きさを有することを特徴とするタイル施工方法が提供される。
【発明の効果】
【０００９】
本発明によれば、タイル張付けモルタル層内にメッシュシートを配し、そのメッシュシートを躯体に機械的に固定し、タイルが剥離してもタイルが脱落しないようにするにあたり、メッシュシートの施工性がよく、目地幅の調整が容易であり、しかも、タイル張り付け作業の中断にも容易に対応可能なタイル施工方法を提供することができる。
【図面の簡単な説明】
【００１０】
【図１】タイルの施工構造例の一部分解斜視図。
【図２】（ａ）乃至（ｅ）は本発明の一実施形態に係るタイル施工方法の説明図。
【図３】（ａ）及び（ｂ）は固定具４０の配設手順の説明図。
【図４】（ａ）乃至（ｆ）は本発明の別実施形態に係るタイル施工方法の説明図。
【発明を実施するための形態】
【００１１】
＜第１実施形態＞
図１は本発明のタイル施工方法により実現される、タイルの施工構造例の一部分解斜視図である。同図の施工構造例では、ユニットタイル１０がメッシュシート２０を介在させて、張付けモルタル３０により、建築躯体の壁面１に張り付けられている。
【００１２】
本実施形態の場合、ユニットタイル１０は、複数のタイル１１の表面１１ａに台紙１２が貼着されてユニット化されたものである。なお、台紙１２での連結に代えて、樹脂などによってタイル１１の裏面・側面を部分的に連結する場合もある。
【００１３】
各タイル１１はいずれも同形状（方形）をなしている。台紙１２は、例えば、紙、樹脂フィルム等のシート或いはネットからなり、複数のタイル１１が上下左右の目地幅分だけ空隙をおいて配列されて貼り付けられている。後述するようにこの台紙１２は施工後に剥離される。
【００１４】
メッシュシート２０は、張付けモルタル３０がタイル１１の裏面に浸透可能な耐アルカリ性を有するものではなんでもよく、例えば、ビニロン繊維から成るメッシュないしネットのシート、平織で格子５ｍｍ×５ｍｍ、目付量２５．１ｇ／ｍ2が好ましい。メッシュシート２０は、縦幅Ｗｖ、横幅Ｗｈが、それぞれ５０ｃｍ以下のものとする。この大きさとすることで、作業性を悪化させずに各種のタイルに対応可能となる。メッシュシート２０は、簡単に張り付られ、金鏝で抑え込んだ時に曲がり癖が少なく下地になじみやすい性状のものが好ましい。
【００１５】
本実施形態のように、ユニットタイル１０を張り付ける場合は、ユニットタイル１０よりも小さく、かつ、ユニットタイル１０に含まれる全てのタイル１１を連結可能な大きさを有することが好ましく、例えば、台紙１２とほぼ同じで、ユニットタイル１０の大きさより各辺２〜５ｃｍ程度小さくすることが好ましい。例えば、３０ｃｍ角の４５二丁のモザイクタイルユニットの場合、メッシュシート２０は２５ｃｍ角とすることが好ましい。なお、全てのタイル１１を連結可能とは、少なくともタイルの面積の１／４以上がメッシュシート２０の重なっていることを意味する。
【００１６】
張付けモルタル３０は、例えば、既調合の張付けモルタルや増粘保水剤を添加したセメントモルタルである。
【００１７】
次に、図２を参照して本発明の一実施形態に係るユニットタイル施工方法について説明する。図２（ａ）乃至（ｅ）の各図は、張り付け作業をその側方から見た図（張付け部分については断面図）である。
【００１８】
図２（ａ）は、タイルの張り付け対象である壁面１に張付けモルタル３０を塗り込む工程を示しており、同図の例では鏝４により張付けモルタル３０を塗り込む工程を示している。張付けモルタル３０を一度に塗り付ける面積は、１枚のメッシュシート２０の面積を最小単位として、作業スピード、オープンタイム（例えば２０分）等を考慮して決定する。張付けモルタル３０の塗り付けが完了すると、コンクリート釘、水糸で基準線を出す。
【００１９】
なお、壁面１は事前に下地処理を行う。壁面１が新築構造物の外壁である場合、例えば、洗浄、目荒らし等を行い、下地モルタルを塗り付けて平面性の確保等を行う。壁面１が既設構造物の外壁である場合、例えば、超高圧水洗浄法やＭＣＲ工法などにより凹凸のある状態とし、下地モルタルを塗り付けて平面性の確保等を行う。また、張付けモルタル３０を塗り込む前に、吸水調整、接着増強の目的で壁面１にエチレン・酢酸ビニル系のエマルションを塗り付けることが好ましい。
【００２０】
続いて、図２（ｂ）に示すように張付けモルタル３０を塗り込んだ壁面１に、タイル１１間を連結するためのメッシュシート２０を配設する（メッシュシート配設工程）。メッシュシート２０は鏝で抑え込む等して、張付けモルタル３０に張り付ける。
【００２１】
続いて、図２（ｃ）に示すように、メッシュシート２０の上から、再度、張付けモルタル３０を塗り込む。これにより、メッシュシート２０は張付けモルタル３０内に埋め込まれた状態となる。この時、ユニットタイル１０毎の区画で見切るようにすることが好ましい。１回目の張付けモルタル３０の塗り込みと同様、張付けモルタル３０を一度に塗り付ける面積は、１枚のメッシュシート２０の面積を最小単位として、作業スピード、オープンタイム等を考慮して決定する。
【００２２】
続いて、図２（ｄ）に示すようにメッシュシート２０を配設した壁面１に、タイル１１の裏面１１ｂを張付けモルタル３０に向けてユニットタイル１０を張り付ける（張り付け工程）。ユニットタイル１０から台紙１２を剥がすことでユニットタイル１０の張り付け作業が完了する。その後、必要に応じて、タイル１１間の目地幅を調整する。張付けモルタル３０はフレッシュな状態であるので、各タイル１１はメッシュシート２０により強固に連結されていない。したがって、壁面１上で各タイル１１の位置を比較的自由にずらすことができ、目地幅の調整を容易に行うことができる。
【００２３】
張付けモルタル３０の硬化が進んでその強度が出た後は、メッシュシート２０により各タイル１１間が連結された状態となるので、個別タイル１１の剥離による脱落防止を図ることができる。
【００２４】
本実施形態のタイル施工方法では、従来一般的に行われている手張り工法と比較すると、メッシュシート２０を配設する工程が増える程度であり、施工の手間がほとんど増えず、メッシュシート２０の配設にかかるコストもその材料費程度である。メッシュシート２０を、その縦幅Ｗｖ、横幅Ｗｈが、それぞれ５０ｃｍ以下のものとすることで、様々な原因でユニットタイル１０の張り付け作業を中断せざるを得ない場合でも、メッシュシート２０の範囲で見切って順次タイルを張り付けることができる。このため、先行して施工したユニットタイル１０が隣接し、その張付けモルタル３０が硬化し始めた状態にある場合であっても、後施工の張り付け作業時の力が伝わり難くなり、先行して施工したユニットタイル１０を剥がすような外力を加えることを防止でき、タイル１１の剥離要因を増やすことがない。また、小面積毎に作業可能であることから、周囲に足場が存在する作業環境下でも作業性が悪化せず、施工性がよい。
【００２５】
また、メッシュシート２０を、ユニットタイル１０よりも小さく、かつ、ユニットタイル１０に含まれる全てのタイル１１を連結可能な大きさとすることで、隣接するユニットタイル１０間でメッシュシート２０が重なる事態を回避できる。
【００２６】
また、本実施形態のように、張付けモルタル３０を２回塗り込むことにより（図２（ａ）、図２（ｃ））、メッシュシート２０を張付けモルタル３０に埋め込んでタイル１１の裏面１１ｂの裏足内に十分に張付けモルタル３０を付着させることができる。
【００２７】
次に、図３を参照してメッシュシート２０を躯体（壁面１）に機械的に固定する例について説明する。図３（ａ）及び（ｂ）はいずれも縦方向の目地に沿った施工構造の断面図を示している。
【００２８】
固定具４０は、ユニットタイル１０を壁面１に機械的に固定する器具である。固定具４０は、ユニットタイル１０を壁面１に張り付けて、張付けモルタル３０の強度が出た後（例えば２日以上後）、複数のタイル１１間の目地に、シート２０を通過して壁面１に接続される。より具体的には、図２（ｅ）の状態から張付けモルタル３０の強度が出た後、図３（ａ）に示すように、固定具４０を取り付ける目地に、表側からドリル等によりメッシュシート２０、張付けモルタル３０を通過して壁面１に至る取付孔５を穿孔する。取付孔５は、ドリル等で形成できることから、タイル１１を破損させることがない。取付孔５を穿設する部位（固定具４０の取付部位）は、縦方向の目地と、横方向の目地との交差部分が各タイルの角にアールがあることから、目地幅が広くなっているので望ましい。
【００２９】
取付孔５を穿設すると、固定具４０を取付孔５に挿入する。本実施形態の場合、固定具４０はＬ字型の金具であり、その一辺部分を取付孔５に挿入する。固定具４０の他辺部分は目地に沿わせて配置する。挿入の際には、取付孔５の内面或いは固定具４０のいずれか一方にエポキシ樹脂等の接着剤６を付着させておき、接着剤６の硬化により固定具４０を取付孔５に固定できる。これにより固定具４０が壁面１に接続される。
【００３０】
その後、目地に目地モルタル等の目地材７を充填する（図３（ｂ））。目地材７の充填は、例えば、目地材７をタイル１１の表面側から目地にすり込むようにして行う。目地材７の締まりを見計らってスポンジ等によりタイル１１の表面に残った目地材を取り除いて施工が完了する。固定具４０は目地材７に略埋没するので目立たず、美観を害しない。
【００３１】
本実施形態では、固定具４０及びメッシュシート２０を介して各タイル１１が機械的に壁面１に固定されることから、その脱落防止性能を更に向上できる。なお、固定具４０の数は多い程、脱落防止性能が向上するが、１つのユニットタイル１０に対して２つ程度で十分である。
【００３２】
また、本実施形態では固定具４０としてＬ字型の金具を利用したが、その形状としては種々の形状のものを採用でき、また、その表面には凹凸を設けることで壁面１等への付着性を高めてもよい。更に、固定具４０の取付方法も、取付孔５及び接着剤６による方法以外に、ねじ込み式なども採用可能である。
【００３３】
＜第２実施形態＞
上記第１実施形態では、張付けモルタル３０を２回塗り込むことにしたが（図２（ａ）、図２（ｃ））、１回目（図２（ａ））だけでもよい。この場合、タイル１１の裏面１１ｂに十分に張付けモルタル３０を付着させるべく、メッシュシート２０として張付けモルタル３０の浸透性が高いものを利用するか、あるいは、タイル１１の裏面１１ｂに張付けモルタル３０を事前に塗り込んでもよい。タイル１１の裏面１１ｂに張付けモルタル３０を塗り込む場合、マスク張り工法を採用できる。以下、マスク張り工法を用いた場合の実施形態を図４を参照して説明する。
【００３４】
本実施形態の場合、メッシュシート２０を配設する工程（図２（ｂ））までは記第１実施形態と同様である。そして、タイル１１の裏面１１ｂに張付けモルタル３０を塗り込んだユニットタイル１０を張付けるが、張付けモルタル３０の塗り込みは以下の手順による。
【００３５】
まず、タイル１１の裏面１１ｂを上にしてユニットタイル１０を適当な作業台上に置き（図４（ａ））、通常のマスク工法で用いられるマスク材３をその上に載置する（図４（ｂ））。マスク材３は各タイル１１の裏面１１ｂ部分の９０パーセント程度が露出するように開口し、目地部分を塞ぐシート体或いは板体である。
【００３６】
続いて、マスク材３の上から各タイル１１の裏面１１ｂに張付けモルタル３０を塗り込む（図４（ｃ））。次に、マスク材３を取り除いて作業が完了する（図４（ｄ））。
【００３７】
その後、図４（ｅ）に示すようにメッシュシート２０を配設した壁面１にユニットタイル１０を張付ける（張付工程）。ユニットタイル１０から台紙１２を剥がすことでユニットタイル１０の張付け作業が完了する（図４（ｆ））。
【００３８】
＜第３実施形態＞
上記第１、第２実施形態では、ユニットタイルを対象としたが、個々のタイルを１枚ずつ張り付ける場合にも上記のタイル施工方法を適用可能である。例えば、小口タイル、二丁掛けタイルを用いた密着張り（ヴィブラート工法）にも適用可能である。
【００３９】
二丁掛けタイルの場合、例えば、タイルの一単位の張付け数を、水平方向に２列、上下方向に７列とし、目地幅を１０ｍｍとすると、一単位の張付け範囲は水平方向に４７４ｍｍ、上下方向に４９０ｍｍとなる。よって、メッシュシート２０の大きさは、隣接する張付け範囲でメッシュシート２０が重ならず、かつ、全タイルを連結できるよう、４５ｃｍ角とすることが好ましい。メッシュシート２０の縦幅Ｗｖ、横幅Ｗｈが、それぞれ５０ｃｍ以下に収まるので作業性を悪化させることを回避できる。
【符号の説明】
【００４０】
１０  ユニットタイル
１１  タイル
１２  台紙
２０  メッシュシート
３０  張付けモルタル
【図１】
0005650594.tif 000002
【図２】
0005650594.tif 000003
【図３】
0005650594.tif 000004
【図４】
0005650594.tif 000005